(57)【特許請求の範囲】
【請求項１】
歯列矯正用セルフライゲーションブラケットセットであって、ブラケット（４０、４１）が
ベース部（１）と、
該ベース部（１）上に配置されたブロック部（４）と、
該ブロック部（４）から延び、かつ咬合側結紮ウィング（９）を少なくとも１つ有する咬合側壁（６）と、
該ブロック部（４）から延び、かつ歯肉側結紮ウィング（８）を少なくとも１つ有する歯肉側壁（５）と、
該咬合側壁（６）と歯肉側壁（５）とを隔て、セット内のブラケット（４０、４１）において同一の最小内幅を有し、近心から遠心方向へ連続的に延び、かつ歯列矯正治療中はアーチワイヤー（１０）がその上を通るベース領域（１１）を有するスロット（７）と、
ブロック（４）内を歯肉側‐咬合側方向に延び、舌側に位置する面（１９）および唇側に位置する面によって区切られている通路（１８）と
咬合側に配置されている部分（２８）により相互に接続されている唇側脚部（２７）および舌側脚部（２６）を有する弾性クリップ（２５）と
を有し、
舌側脚部（２６）が通路（１８）に挿入可能で、クリップ（２５）の閉位置と開位置との間で歯肉側‐咬合側方向にのみ変位させることができ、
閉位置ではクリップの唇側脚部（２７）が歯肉側壁（５）の凹部（２４）に入り込んだ状態にあり、
該凹部が、少なくとも舌側にクリップの唇側脚部（２７）用受止部（３７）を有し、
開位置では唇側脚部（２７）の先端が咬合側壁（６）より上に位置し、
スロット（７）のベース領域（１１）から舌側受止部（３７）までの距離が、ブラケット（４０、４１）において異なり、
第１のブラケット（４１）におけるスロット（７）のベース領域（１１）からクリップ（２５）の唇側脚部（２７）用受止部（３７）までの距離が、歯列矯正治療で使用され得る０．５６ｍｍ×０．６４ｍｍ（０．０２２インチ×０．０２５インチ）以下の断面積を有するアーチワイヤー（１０）がスロット（７）のベース領域上（１１）にある限り閉位置にあるクリップ（２５）による圧力を受けない程度に十分大きくなるよう選択され、第２のブラケット（４０）におけるスロット（７）のベース領域（１１）からクリップ（２５）の唇側脚部（２７）用受止部（３７）までの距離がそれよりも小さくなるよう選択されることを特徴とする、歯列矯正用セルフライゲーションブラケットセット。
【請求項２】
歯列矯正用セルフライゲーションブラケットセットであって、ブラケット（４０、４１）が
ベース部（１）と、
該ベース部（１）上に配置されたブロック部（４）と、
該ブロック部（４）から延び、かつ咬合側結紮ウィング（９）を少なくとも１つ有する咬合側壁（６）と、
該ブロック部（４）から延び、かつ歯肉側結紮ウィング（８）を少なくとも１つ有する歯肉側壁（５）と、
該咬合側壁（６）と歯肉側壁（５）とを隔て、セット内のブラケット（４０、４１）において同一の最小内幅を有し、近心から遠心方向へ連続的に延び、かつ歯列矯正治療中はアーチワイヤー（１０）がその上を通るベース領域（１１）を有するスロット（７）と、
ブロック（４）内を歯肉側‐咬合側方向に延び、舌側に位置する面（１９）および唇側に位置する面によって区切られている通路（１８）と
歯肉側に配置されている部分（２８）により相互に接続されている唇側脚部（２７）および舌側脚部（２６）を有する弾性クリップ（２５）と
を有し、
舌側脚部（２６）が通路（１８）に挿入可能で、クリップ（２５）の閉位置と開位置との間で歯肉側‐咬合側方向にのみ変位させることができ、
閉位置ではクリップの唇側脚部（２７）が咬合側壁（６）の凹部（２４）に入り込んだ状態にあり、
該凹部が、少なくとも舌側にクリップの唇側脚部（２７）用受止部（３７）を有し、
開位置では唇側脚部（２７）の先端が歯肉側壁（５）より上に位置し、
スロット（７）のベース領域（１１）から舌側受止部（３７）までの距離が、ブラケット（４０、４１）において異なり、
第１のブラケット（４１）におけるスロット（７）のベース領域（１１）からクリップ（２５）の唇側脚部（２７）用受止部（３７）までの距離が、歯列矯正治療で使用され得る０．５６ｍｍ×０．６４ｍｍ（０．０２２インチ×０．０２５インチ）以下の断面積を有するアーチワイヤー（１０）がスロット（７）のベース領域上（１１）にある限り閉位置にあるクリップ（２５）による圧力を受けない程度に十分大きくなるよう選択され、第２のブラケット（４０）におけるスロット（７）のベース領域（１１）からクリップ（２５）の唇側脚部（２７）用受止部（３７）までの距離がそれよりも小さくなるよう選択されることを特徴とする、歯列矯正用セルフライゲーションブラケットセット。
【請求項３】
ブラケット（４０、４１）が同一のクリップ（２５）を有することを特徴とする、請求項１または２に記載の歯列矯正用セルフライゲーションブラケットセット。
【請求項４】
最大断面が０．５６ｍｍ×０．６４ｍｍ（０．０２２インチ×０．０２５インチ）のアーチワイヤー（１０）を受けるために、スロット（７）の最小内幅が０．５６ｍｍ（０．０２２インチ）であることを特徴とする、請求項１から３の何れか１つに記載の歯列矯正用セルフライゲーションブラケットセット。
【請求項５】
歯列矯正用のアーチワイヤー（１０）を含むことを特徴とする、請求項１から４の何れか１つに記載の歯列矯正用セルフライゲーションブラケットセット。
【請求項６】
セットに含まれる歯列矯正用アーチワイヤー（１０）の最大断面が０．５６ｍｍ×０．６４ｍｍ（０．０２２インチ×０．０２５インチ）であることを特徴とする、請求項５に記載の歯列矯正用セルフライゲーションブラケットセット。
【請求項７】
スロット（７）のベース領域（１１）からクリップ（２５）の唇側脚部（２７）用受止部（３７）までの距離が、第１のブラケット（４１）で０．６４ｍｍ（０．０２５インチ）であり、第２のブラケット（４０）で０．３ｍｍ〜０．５ｍｍであることを特徴とする、請求項１から６の何れか１つに記載の歯列矯正用セルフライゲーションブラケットセット。
【請求項８】
ブラケット（４０、４１）がクリップ（２５）の唇側脚部（２７）用受止部（３５）を有し、該受止部がクリップ（２５）の唇側脚部（２７）用舌側受止部（３７）とは逆の唇側方向に有効であることを特徴とする、請求項１から７の何れか１つに記載の歯列矯正用セルフライゲーションブラケットセット。
【請求項９】
ブラケット（４０、４１）の歯肉側壁（５）または咬合側壁（６）の凹部（２４）が、スロット（７）のベース領域（１１）と平行なリムを有する窓部（２１）もしくは溝であるか、または該窓部（２１）もしくは溝を含むことを特徴とする、請求項１から８の何れか１つに記載の歯列矯正用セルフライゲーションブラケットセット。
【請求項１０】
同一のクリップ（２５）を有するブラケット（４０、４１）の組を含み、組になるブラケット（４０、４１）がスロット（７）の深さにおいてのみ異なることを特徴とする、請求項１から９の何れか１つに記載の歯列矯正用セルフライゲーションブラケットセット。
【請求項１１】
最大断面積が０．４６ｍｍ×０．６４ｍｍ（０．０１８インチ×０．０２５インチ）のアーチワイヤー（１０）を受けるために、スロット（７）の最小内幅が０．４６ｍｍ（０．０１８インチ）であることを特徴とする、請求項１から３の何れか１つに記載の歯列矯正用セルフライゲーションブラケットセット。
【発明の詳細な説明】
【技術分野】
【０００１】
本発明は歯列矯正用ブラケットセットに関する。
【背景技術】
【０００２】
独国特許出願公開第１０２００６０２７１３０（Ａ１）号明細書には、
ベース部と、
該ベース部上に配置されたブロック部と、
該ブロック部から延び、かつ咬合側結紮ウィングを少なくとも１つ有する咬合側壁と、
該ブロック部から延び、かつ歯肉側結紮ウィングを少なくとも１つ有する歯肉側壁と、
該咬合側壁と歯肉側壁とを隔て、近心から遠心方向へ連続的に延び、かつ歯列矯正治療中はアーチワイヤーがその上を通るベース領域を有するスロットと、
ブロック内を歯肉側‐咬合側方向に延び、舌側に位置する面および唇側に位置する面によって区切られている通路と、
咬合側または歯肉側に配置されている部分により相互に接続されている唇側脚部および舌側脚部を有する交換可能な２個の異なる弾性クリップと
を有する歯列矯正用ブラケットセットが開示されている。
前記舌側脚部は通路に挿入可能であり、クリップの唇側脚部が歯肉側壁または咬合側壁の凹部に入り込んだ状態にある閉位置と、開位置との間で歯肉側‐咬合側方向にのみ変位させることができる。
歯肉側壁または咬合側壁の凹部は、少なくとも唇側にクリップの唇側脚部用受止部を有する。開位置にあるクリップの唇側脚部の先端は、ブラケットにおけるクリップの配向によってブラケットの咬合側壁上または歯肉側壁上のいずれかにあり、歯列矯正用のアーチワイヤーを唇側から舌側の方向に向けてスロットに挿入することができる。クリップが閉位置にある場合には、クリップによってアーチワイヤーが固定される。このクリップによって、ブラケットはセルフライゲーションブラケットとなる。
【０００３】
独国特許出願公開第１０２００６０２７１３０（Ａ１）号明細書で開示されたセットは、同一ブラケット用の別のクリップを含むものである。クリップを別のクリップと交換することにより、能動型セルフライゲーションブラケットを受動型セルフライゲーションブラケットに変えることができる。受動型ブラケットとは、歯列矯正治療を目的としてブラケットのスロットに挿入されているアーチワイヤーが、スロットのベース領域上にある限り、クリップの唇側脚部による圧力を受けることのないブラケットを意味する。能動型ブラケットとは、少なくとも歯列矯正治療で使用され得る最も断面の大きなアーチワイヤーが、スロットのベース領域上にある場合にも、弾性クリップの唇側脚部による圧力を受けるブラケットを意味する。これは、このような場合、クリップを弾力的に曲げただけで閉位置への移動が起こり得ることを意味する。
【０００４】
受動型ブラケットも能動型ブラケットも、歯の位置異常の矯正治療において、存在する意義がある。能動型ブラケットは、ある種の位置異常や、位置異常を矯正する処置の段階で選択されるが、受動型ブラケットが選択される場合もある。より詳しい情報は、独国特許出願公開第１０２００６０２７１３０（Ａ１）号明細書に記載されている。
【０００５】
セルフライゲーションブラケット用のクリップは、弾性および寸法が再現されるように製造することができ、ブラケットと弾性クリップとが非常に小さいということを除けば、その製造は格別困難ではない。これは、独国特許出願公開第１０２００６０２７１３０（Ａ１）号明細書に開示されている種類のセルフライゲーションブラケットにも言える。受動型ブラケットは、弾性クリップの開口幅が能動型ブラケット用のクリップよりもやや大きくなるよう製造することが重要である。また、受動型ブラケットの弾性クリップは、独国特許出願公開第１０２００６０２７１３０（Ａ１）号明細書に開示された能動型セルフライゲーションブラケットほどスロットをしっかりと閉じた状態に保つわけではない。
【発明の概要】
【発明が解決しようとする課題】
【０００６】
本発明の目的は、セルフライゲーションブラケットの製造をより困難なものとすることなく、前記欠点の改善策を提供することである。
【課題を解決するための手段】
【０００７】
この目的は、請求項１および請求項２で規定する特徴を有するセットにより達成される。本発明に有利に変更を加えたものが、従属請求項に記載されている。請求項１と請求項２の唯一の違いは、請求項１の弾性クリップの場合、ブラケットの咬合側壁から突き出た唇側脚部がブラケットの歯肉側壁の凹部へ入っていることである。請求項２の場合、これと逆に、弾性クリップの唇側脚部は、ブラケットの歯肉側壁から突き出てブラケットの咬合側壁の凹部へ入っている。請求項１に規定される変化形は、請求項２に記載の実施形態と比べ、咀嚼の際に生じる圧力にクリップがよく耐え、また閉位置においてより確実に保持されることから好まれる。
【０００８】
本発明は、以下に述べる顕著な利点を有する。
・  弾性クリップはセット内のすべてのブラケットにおいて同一にすることができ、セット内のすべてのブラケットにおいて同一であることが好ましい。これにより、繊細な弾性クリップの製造を大幅に単純化することができる。
・  同一の弾性クリップを使用しながら能動型と受動型のブラケットを製造可能にするために、本発明は、ブラケットの１箇所のみに変更を加えるという驚くべき単純な方法を提案している。すなわち、セットにおいてブラケットのスロットの深さを変えることにより、スロットが第１の深さを有する能動型ブラケット、およびスロットが第２の深さを有する受動型ブラケットを得るものである。深いほうが受動型ブラケット、浅いほうが能動型ブラケットとなる。その他の点では、この２つのブラケットは同一であってよく、同一であることが好ましい。
・  本発明は、たとえばスロットの深さが浅く、所定のクリップを接続すると能動型ブラケットとなるようなブラケットを構成することにより実現してもよい。前記スロットの深さは、スロットのベース部から材料の一部を切削または研磨によって削り取ることで深くすることができ、それによって、受動型ブラケットを得ることができる。
・  しかしながら、本発明は、射出成形法によってブラケットを製造する場合に特に費用効率高く実現することができる。これは、プラスチック製ブラケットだけでなく、セラミック射出成形（ＣＩＭ法）を使用したセラミックブラケット、さらに金属射出成形（ＭＩＭ法）を使用した金属ブラケットにおいても可能である。ＣＩＭ法、ＭＩＭ法のいずれにおいても、粉体スラリーを射出成形金型に注入し、圧縮し、次いで焼結が行われる。成形は、射出成形金型内で部分的にスライダを使用して行われる。これは、特にスロットの成形過程に有効である。能動型ブラケットではなく受動型ブラケットを成形する場合、スロットの成形過程に必要なスライダを少し長いものに交換するだけで十分である。金型の他の構成要素はすべてそのままにしておいてもよい。本発明のブラケットは、セットのいずれの実施形態であっても、非常に効率良く低コストで製造することができる。
【０００９】
現時点で歯列矯正治療用アーチワイヤーとして存在する最大断面は、０．０２２インチ×０．０２５インチまたは０．０１８インチ×０．０２５インチである。ここで０．０２５インチは、ブラケットにおけるスロットのベース領域からのアーチワイヤーの高さである。したがって、スロットの最小内幅は、０．０２２インチすなわち０．５６ｍｍ、または０．０１８インチすなわち０．４６ｍｍであることが好ましい。スロットの幅は、いくつかの箇所、たとえばスロットの両端部等では、これより大きい場合もある。しかし、幅０．０２２インチまたは０．０１８インチのアーチワイヤーを挿入するためには、スロットはどの場所においても、少なくとも０．０２２インチまたは０．０１８インチという内幅をそれぞれ有していることが必要である。とは言え、矩形または正方形の断面を有するアーチワイヤーによって歯にトルクを伝えるためには、スロットの内幅は、それぞれ０．０２２インチまたは０．０１８インチよりも大き過ぎてはならない。
【００１０】
セットの第１のブラケットにおいて、スロットのベース領域からクリップの唇側脚部用受止部までの距離は、歯列矯正治療で使用され得る最も断面の大きなアーチワイヤーがスロットのベース領域上にある場合に、閉位置にあるクリップによる圧力を受けないように選択されることが好ましい。歯列矯正治療で使用され得る最も断面の大きなアーチワイヤーの代わりに、それよりも背の低いアーチワイヤーが第１のブラケットに挿入される場合、この低いアーチワイヤーがスロットのベース領域上にある限り、弾性クリップによるいかなる圧力も受け得ないことは明らかである。セットの第２のブラケットにおいては、スロットのベース領域からクリップの唇側脚部用受止部までの距離は、第１のブラケットの場合よりも短くなるよう選択されることが好ましい。こうすることにより、少なくとも歯列矯正治療で使用され得る最も断面の大きなアーチワイヤーがクリップの唇側脚部による圧力を常に受けるようになり、あらゆる場合に受動的に機能する第１のブラケットとは対照的に、能動的に機能するようになる。
【００１１】
スロットのベース領域からクリップの唇側脚部用受止部までの距離は、受動型ブラケットとして使用される第１のブラケットの場合、０．０２５インチすなわち０．６４ｍｍであることが有利である。この距離はこれよりも大きくなるよう選択することもできるが、ブラケットの高さを不必要に大きくすることになるため、有利ではない。セットの第２のブラケットにおいては、スロットのベース領域からクリップの唇側脚部用舌側受止部までの距離は、０．３〜０．５ｍｍが好ましく、とりわけ０．３８〜０．４２ｍｍが好ましい。歯列矯正治療用としては、クリップの唇側脚部用舌側受止部からスロットのベース領域までを測定した能動型ブラケットのスロット深さに関して、これは実によい妥協案である。
【００１２】
本発明のセットにおけるブラケットは、クリップの唇側脚部がブラケットのスロットに侵入する深さを効果的に制限するために、クリップの唇側脚部用舌側受止部を少なくとも１つ有している。本発明のセットにおけるブラケットはさらに、歯列矯正治療中にアーチワイヤーがクリップの唇側脚部を押し上げることによってスロットからアーチワイヤーがはずれることを防ぐために、唇側方向に効果的な、クリップの唇側脚部用受止部を有していることが好ましい。このような唇側方向に効果を発揮する受止部を設けるためには、ブラケットの歯肉側壁、または（クリップが逆向きの場合）咬合側壁の凹部は、スロットのベース領域と平行なリムを有する窓部または溝であることが必要である。
【００１３】
セットは、スロットの深さのみが異なるブラケットを含むことが好ましい。このセットは特に、同一のクリップを備えたブラケットの組を含み、組になるブラケットはスロットの深さにおいてのみ異なるものである。種々のブラケットは、異なる歯への取り付けに使用できる。種々のブラケットとしては、たとえば付属品の異なるもの、角度の異なるもの、異なるトルクを伝えるためのもの等がある。これらの異なる実施形態の各々に、能動型ブラケットと受動型ブラケットとがあり得る。
【図面の簡単な説明】
【００１４】
添付の図面は本発明をよりよく説明するものであり、能動型ブラケットおよび受動型ブラケットを示している。ブラケット内の同一または対応する部分は、同じ参照番号で示される。
【図１】ブラケットのスロットを長手方向から見た能動型ブラケットの側面図である。
【図２】図１に対応する、受動型ブラケットの側面図である。
【図３】図１の能動型ブラケットをスロットに対して垂直方向に切断した中心断面図である。
【図４】図３に対応する、図２の受動型ブラケットの断面図である。
【図５】図４の「Ｘ」部分の拡大詳細図である。
【図６】弾性クリップが開位置にある図１の能動型ブラケットの立面図である。
【図７】図６に対応する、図２の受動型ブラケットの図である。
【図８】弾性クリップが閉位置にある図１の能動型ブラケットの立面図である。
【図９】図８に対応する、図２の受動型ブラケットの図である。
【図１０】図１の能動型ブラケットの斜景図である。
【図１１】図２の受動型ブラケットの斜景図である。                            受動型ブラケットの図においては、能動型ブラケットと異なる部分のみ参照番号にて示している。
【００１５】
能動型ブラケット４０、受動型ブラケット４１のいずれも、そのベース部１は歯の前側に近い反りを有している。ベース部１は、ブラケット４０、４１の舌側面を形成している下面２に、列状に配置されている突出部３を有し、これらはアンダーカットされている。突出部３の、図３および４に示す断面は菱形であり、下面２と平行な断面は矩形である。下面２には、ブラケット４０、４１を歯の前側に接着するための接着剤をコートすることができる。突出部３と接着剤との組合せにより、十分な接着力を得ることができる。各列において、突出部３とアンダーカットの方向は一致する。しかしながら、その方向は列ごとに逆向きになっている。これにより、ブラケット４０、４１の歯肉側から咬合側への力が働く場合も、咬合側から歯肉側への場合と同じ接着力を得ることができる。
【００１６】
図７において、歯の上のブラケットの位置は、歯肉側‐咬合側および遠心‐近心という２つの方向に関して指定される。
【００１７】
ベース部１は、歯肉側壁５および咬合側壁６が立ち上がるブロック部４へと続いている。壁５および６は互いに平行であり、溝７によって隔てられている。溝７はスロットと呼ばれ、遠心から近心方向へ続き、唇側に開いている。
【００１８】
歯肉側壁５上には、歯肉側へ突き出した２つの結紮ウィング８が設けられている。咬合側壁６上には、咬合側へ突き出した２つの結紮ウィング９が設けられている。結紮ウィングには、当業者に知られた方法で結紮線を固定することができる。
【００１９】
スロット７はアーチワイヤー１０を受ける役割を果たし、断面は特に矩形となっている。アーチワイヤー１０にあらかじめ引っ張る力をかけることにより、スロットのベース領域１１に圧力をかけ、またブラケットの壁５および６にトルクを働かせることができる。この目的のために、スロット７の内断面は実質上矩形となっている。この例では、歯肉側壁５上の薄く低いリブ１２、および咬合側壁６上の薄く低いリブ１３によってわずかに狭められている。リブ１２および１３は、スロット７内でのアーチワイヤー１０の摩擦を小さくするために使用される。スロット７のベース領域１１は、以下でより詳細に説明するが、スロット７の長さ全体にわたって同じ高さで形成されているのではなく、分断されている。これによってさらに、スロット７内でのアーチワイヤー１０の摩擦が小さくなる。スロット７の端部において、スロット７のベース領域は傾斜面１４、歯肉側壁５の傾斜面１５および咬合側壁６の傾斜面１６を含んでいる。これらはスロット７の入口を広げるとともに、スロット７内に位置するアーチワイヤー１０の摩擦を小さくするために使用される。これは特に、歯の位置異常の程度が大きいためにアーチワイヤー１０の経路が特に不規則になる場合に有利であることがわかっている。
【００２０】
咬合側壁の近心から遠心方向に向かって連続したチャネル１７が設けられ、歯の位置を矯正するための補助的要素、たとえば、ばね、フック、補助ワイヤー等を収容することができる。
【００２１】
スリット状の通路１８は、スロット７のベース領域１１の下にこれと平行に延びている。この通路の舌側は、スロット７のベース領域１１と平行かつ平らな面１９によって限定されている。面１９は、咬合側壁６から、まずブロック部４を通り、ブラケット４０、４１を横切って延び、最終的にベース部１にあるブラケットの歯肉側領域へと達している。結紮ウィング８、９の近傍において、通路１８は、互いに平行でありかつ舌側面１９に対し直角である側面２０によって範囲を定められる。咬合側壁６は、スロット７に向いていない側の、通路１８の上方に、シリンダケーシング形状をした面６ａを有する。これによって、ブラケット４０、４１の咬合側において、通路１８は漏斗状の入口を備えることになる。スロット７の底部は、側壁２０の間ではベース領域１１よりも低い位置にあり、すなわち通路１８の舌側面１９に達している。
【００２２】
歯肉側壁５には、凹部２１が設けられる。この凹部は舌側面１９、側壁２０、互いに向き合いかつ側壁２０に隣接し、間に歯肉側壁５の間隙が位置する突出部２２（図１０、１１参照）、側壁２０に平行な２つのリム３４、および唇側に位置するリム３５によって囲まれている。突出部２２の舌側リム３８はクリップ２５の舌側脚部２６をガイドするために使用される。突出部２２と同様にリム３４および３５は凹部２１の構成要素として、実質上矩形をした窓部２４を定義する。窓部の遠心‐近心方向の長さは、突出部２２間の距離よりも長いが、歯肉側結紮ウィング８間の距離よりは短く、さらにリブ１２および１３の間の距離（ここでは側壁２０間の距離と一致する）よりも小さい。歯肉側壁５上に設けられたリブ１２は、同時に突出部２２の唇側リムでもある窓部２４の舌側リムの高さで終わっている。
【００２３】
ブラケット４０、４１は、弾性材料で作られたクリップ２５を補うことによってセルフライゲーションブラケットとなる。クリップ２５には直線的な舌側脚部２６と、それよりは短くほぼ直線状である唇側脚部２７を有する。脚部２６および２７は、咬合側に位置する円弧に近い形状をした部分２８を介して接続されている。前記部分の幅は舌側脚部２６の幅と正確に一致し、通路１８内に隙間がほとんどない状態で適合する。唇側脚部２７の幅は、スロット７の長さにほぼ一致する。唇側脚部は、舌側脚部２６に対し、平行ではなく鋭角で咬合側部分２８から近づいている。唇側脚部２７はその歯肉側端部に歯肉側に延びる延長部２９を有し、これは唇側に角度がついている。延長部２９の幅は唇側脚部２７より狭く、また舌側脚部２６よりも狭い。この延長部は、歯肉側壁５の凹部２１における不可欠な部分である窓部２４内に（スロット７の長手方向に関して）隙間がほとんどない状態で適合している。
【００２４】
舌状凸部３０は舌側脚部２６の歯肉側端部の近傍から切り出され、舌側脚部２６と鋭角を成すように咬合側部分２８に向かって持ち上げられた形状となっている。
【００２５】
クリップ２５は、舌側脚部２６を咬合側から通路１８に挿入することによってブラケット４０、４１に接続される。通路１８の入口が狭くなっていることにより、舌状凸部３０は舌側脚部２６（舌状凸部３０はこの脚部から切り出されている）の切り出し部分に徐々に押し込まれる。咬合側壁６を通り抜けると、舌状凸部３０は跳ね上がって咬合側壁６に当たり、結果としてクリップ２５は外れなくなる。この位置に到達するまで、クリップ２５が前方へ押されている間、延長部２９は咬合側壁６のシリンダケーシング形状をした面６ａに接した状態で咬合側壁６の唇側上面までスライドする。このときクリップ２５は、弾性復元力に逆らって広げられている。クリップ２５がさらに前方へ押されると、クリップ２５の唇側脚部２７は、咬合側壁６の唇側上面から下方へスライドし、スロット７に落ち込む。アーチワイヤーの高さが、クリップ２５の唇側脚部２７用舌側受止部を形成している窓部２４の舌側リム３７より上に出るほど高い場合、能動型ブラケットにおいては、唇側脚部２７は、弾性力によってアーチワイヤー１０にもたれかかった状態になる（図１、３、６、８、１０）。咬合側壁６を超えたクリップ２５は、弾性復元力により、その延長部２９が歯肉側壁５の窓部２４にはめ込まれるまでさらに進む。このように、アーチワイヤー１０がクリップ２５の唇側脚部２７を持ち上げることができるのは、最大でも延長部２９が窓部２４の唇側リム３５に当たるまでの範囲であるので、クリップ２５によってアーチワイヤー１０はスロット７内に固定される。窓部２４の舌側リム３７は、突出部２２の唇側リムでもあり、これらによって、スロット７のベース領域１１からクリップ２５の唇側脚部２７までの最小の距離が決まる。
【００２６】
受動型ブラケット４１（図２、４、５、７、９、１１）の場合、能動型ブラケット４０と比較して、ベース領域１１はより深い位置にある。すなわち、能動型のブラケット４０と比較して、ベース領域からクリップ２５の唇側脚部２７用舌側受止部３７までの距離はより大きくなる。受動型ブラケット４１の場合、スロット７のベース領域１１上のアーチワイヤーは、クリップ２５によって固定されているわけではない。このようにして、歯の位置の矯正を促進することができる。受動型ブラケット４１は、能動型ブラケット４０との識別を容易にするためのマーキング３９を有する。
【００２７】
能動型ブラケット４０において、アーチワイヤー１０とクリップ２５との摩擦を小さくするために、クリップ２５の唇側脚部２７の遠心リムおよび近心リムは、丸められているかまたは傾斜面を有することが好ましい。
【００２８】
クリップ２５を閉位置（図１〜５、８〜１１）から開位置（図６、７）へ移動させるために、たとえばスケーラー等の器具を、クリップ２５の舌側脚部２６の歯肉側リムにあてがって使用してもよい。通路１８を舌側で区切る面１９が、歯肉側の方向へ延びてクリップ２５の舌側脚部２６の歯肉側端部よりも出ているために、その位置は、目視せずとも手探りで確認することができる。舌側面１９はさらに、歯肉側端部から延びてクリップ２５の舌側脚部２６へと続く溝３２を含む。溝３２は、器具を用いてその位置を探ることができ、位置確認の助けとなる。溝３２が捉えられれば、該器具の先端でクリップ２５を歯肉側から咬合側へ押す。このとき、器具の先端は、さらに溝３２によって正しい方向へガイドされる。クリップ２５が開位置にある場合、クリップ２５の唇側脚部２７は咬合側壁６上で安定位置にあり、スロット７の唇側からの入口は開放されている。
【００２９】
クリップ２５は、舌状凸部３０が咬合側壁６に当たるまで、咬合側へ押すことができる。したがって、閉位置（図１〜５、８〜１１）から開位置（図６、７）へ移動する間にクリップ２５を紛失する心配はない。ブラケット４０、４１からクリップ２５を完全に外すには、舌状凸部３０を、それが切り出された元の場所であるクリップ２５の舌側脚部２６中の切り出し部分へと器具を用いて押し戻し、該舌状凸部３０を押し下げたままクリップ２５をさらに咬合側へ押す必要がある。
【００３０】
図１、３、６、８、１０の能動型ブラケット４０と図２、４、５、７、９、１１の受動型ブラケット４１との比較により、２つのブラケット間の顕著な差異、すなわち受動型ブラケット４１における舌側受止部３７とベース領域１１との距離が、能動型ブラケット４０におけるそれよりも大きく、アーチワイヤー１０の断面が歯列矯正治療で使用され得る最も大きなものであっても、アーチワイヤー１０がスロット７のベース領域１１上にある限り、クリップ２５による圧力は受けない（図５参照）という事実が明確に示される。
【００３１】
受動型ブラケット４１では、舌側受止部３７とベース領域１１との距離が大きくなっている結果、傾斜面１５、１６が長く、スロット７の端部にある傾斜面１４は短い。マーキング３９を除けば、受動型ブラケット４１には、能動型ブラケット４０からのさらなる変更点はない。
【符号の説明】
【００３２】
参照番号
１．ベース部
２．１の下面
３．突出部
４．ブロック部
５．歯肉側壁
６．咬合側壁
６ａ．シリンダケーシング形状をした面
７．スロット
８．歯肉側結紮ウィング
９．咬合側結紮ウィング
１０．アーチワイヤー
１１．７のベース領域
１２．５の上のリブ
１３．６の上のリブ
１４．１１の傾斜面
１５．５の傾斜面
１６．６の傾斜面
１７．チャネル
１８．通路
１９．舌側面
２０．側壁
２１．５の凹部
２２．５の突出部
２３．−−
２４．窓部
２５．クリップ
２６．舌側脚部
２７．唇側脚部
２８．２５の咬合側部分
２９．２７の延長部
３０．舌状凸部
３１．−−
３２．溝
３３．−−
３４．２４のリム
３５．２４の唇側に位置するリム、唇側受止部
３６．−−
３７．２４の舌側に位置するリム、舌側受止部
３８．２２の舌側リム
３９．４０の上のマーキング
４０．能動型ブラケット
４１．受動型ブラケット
【図１】
0005631389.tif 000002
【図２】
0005631389.tif 000003
【図３】
0005631389.tif 000004
【図４】
0005631389.tif 000005
【図５】
0005631389.tif 000006
【図６−７】
0005631389.tif 000007
【図８】
0005631389.tif 000008
【図９】
0005631389.tif 000009
【図１０】
0005631389.tif 000010
【図１１】
0005631389.tif 000011